(57)【特許請求の範囲】
【請求項１】
天井枠構造部を構成する天井枠材と、
上記天井枠材に着脱可能に係合・保持され天井パネルを下方から支持して上記天井枠材の一部との間に天井パネルを挟持する天井パネル支持用枠材と、
上記天井パネル支持用枠材の下方位置の上記天井枠材に着脱可能に取り付けられ上記天井パネル支持用枠材を押し上げることにより上記天井枠材の一部と天井パネル支持用枠材との間に天井パネルを強固に挟持させる固定具と、を具備し、
上記固定具は、上記天井枠材の溝内に挿入・配置されたナットと、上記天井パネル支持用枠材の下方位置の上記天井枠材に設置される天井パネル支持用枠材押上部材と、上記天井パネル支持用枠材押上部材を通して上記ナットに螺合されるネジ部材と、から構成されていることを特徴とする天井構造。
【請求項２】
請求項１記載の天井構造において、
上記天井パネル支持用枠材の上記天井パネル側には溝が設けられていて、該溝にはシール部材が装着されることを特徴とする天井構造。
【請求項３】
請求項１記載の天井構造において、
上記天井パネル支持用枠材には下側にテーパ部が設けられていて、上記天井パネル支持用枠材押上部材には上側にテーパ部が設けられていて、上記ネジ部材を上記ナットに螺合させることにより上記両テーパ部を介して上記天井パネル支持用枠材を上方に押し上げるように構成されていることを特徴とする天井構造。
【請求項４】
請求項１〜請求項３の何れかに記載の天井構造において、
上記天井枠構造部は複数の天井枠材によって格子状に構成されていて、各格子部毎に天井パネルが着脱可能に取り付けられていることを特徴とする天井構造。
【請求項５】
まず、複数の天井枠材によって天井枠構造部を構築し、
次に、上記天井枠材に天井パネル支持用枠材を係合・保持させ、
次に、上記天井パネル支持用枠材の上側に天井パネルの一端側を載せ、
次に、上記天井パネルの他端側を押し上げながら別の天井パネル支持用枠材を上記天井枠材に係合・保持させて上記天井パネルの仮置状態とし、
次に、上記天井パネル支持用枠材の下方位置において固定具を上記天井枠材に取り付けることにより天井パネル支持用枠材を押し上げて上記天井枠材の一部と天井パネル支持用枠材との間に天井パネルを強固に挟持させるようにしたことを特徴とする天井構築方法。
【請求項６】
請求項５記載の天井構築方法において、
まず、上記天井パネルの相対する一対の端を固定し、
次に、上記天井パネルの上記一対の端に対して直交する別の一対の端を固定するようにしたことを特徴とする天井構築方法。
【請求項７】
請求項５記載の天井構築方法において、
まず、天井パネルの相対する一対の端を仮置きし、
次に、上記天井パネルの上記一対の端に対して直交する別の一対の端を仮置きし、
次に、天井パネルの四辺を固定するようにしたことを特徴とする天井構築方法。
【発明の詳細な説明】
【技術分野】
【０００１】
本発明は、例えば、アルミニウム製の天井枠材や天井パネルを使用して構築される天井構造と該天井構造を構築するための天井構築方法に係り、特に、全ての作業を建屋の内側であって天井の下側から行なうことができるように工夫したものに関する。
【背景技術】
【０００２】
アルミニウム製の天井枠材や天井パネルを使用して構築された天井構造を開示するものとして、例えば、特許文献１、特許文献２、特許文献３、特許文献４、特許文献５、特許文献６、特許文献７、特許文献８、特許文献９等がある。
【０００３】
【特許文献１】特開平０５−１６３７９５号公報
【特許文献２】特開平０６−６５９８１号公報
【特許文献３】特開平０６−２２９０５４号公報
【特許文献４】特開平０６−３３６７８３号公報
【特許文献５】特開平０８−５３８９８号公報
【特許文献６】特開平１０−３８３２３号公報
【特許文献７】特開２０００−２４８６８４号公報
【特許文献８】特開２００１−３５１０号公報
【特許文献９】特開２００１−２９５４０９号公報
【発明の開示】
【発明が解決しようとする課題】
【０００４】
上記従来の構成によると次のような問題があった。
まず、何れの場合もその構造が複雑であって多くの部品を必要としてしまい、その結果、コストの上昇を来たしてしまうという問題があった。
又、そのような天井構造の構築作業も煩雑であり、作業に多くの労力と長い作業時間を要してしまうという問題があった。これは一旦構築した天井構造を分解する場合も同様であり、煩雑な作業を余儀なくされてしまうという問題があった。
又、従来の天井構造の場合には、構築時或いは分解時に作業員が天井構造の上に乗る必要があり、その為、天井構造を構成している天井枠材や天井パネルに高い機械的強度が要求されるという問題があった。 
【０００５】
本発明はこのような点に基づいてなされたものでその目的とするところは、簡単な構造で、且つ、簡単な作業で構築することができる天井構造とそのような天井構造を構築する天井構築方法を提供することにある。
【課題を解決するための手段】
【０００６】
上記目的を達成するべく本願発明の請求項１による天井構造は、天井枠構造部を構成する天井枠材と、上記天井枠材に着脱可能に係合・保持され天井パネルを下方から支持して上記天井枠材の一部との間に天井パネルを挟持する天井パネル支持用枠材と、上記天井パネル支持用枠材の下方位置の上記天井枠材に着脱可能に取り付けられ上記天井パネル支持用枠材を押し上げることにより上記天井枠材の一部と天井パネル支持用枠材との間に天井パネルを強固に挟持させる固定具と、を具備し、上記固定具は、上記天井枠材の溝内に挿入・配置されたナットと、上記天井パネル支持用枠材の下方位置の上記天井枠材に設置される天井パネル支持用枠材押上部材と、上記天井パネル支持用枠材押上部材を通して上記ナットに螺合されるネジ部材と、から構成されていることを特徴とするものである。
又、請求項２による天井構造は、請求項１記載の天井構造において、上記天井パネル支持用枠材の上記天井パネル側には溝が設けられていて、該溝にはシール部材が装着されることを特徴とするものである。
又、請求項３による天井構造は、請求項１記載の天井構造において、上記天井パネル支持用枠材には下側にテーパ部が設けられていて、上記天井パネル支持用枠材押上部材には上側にテーパ部が設けられていて、上記ネジ部材を上記ナットに螺合させることにより上記両テーパ部を介して上記天井パネル支持用枠材を上方に押し上げるように構成されていることを特徴とするものである。
又、請求項４による天井構造は、請求項１〜請求項３の何れかに記載の天井構造において、上記天井枠構造部は複数の天井枠材によって格子状に構成されていて、各格子部毎に天井パネルが着脱可能に取り付けられていることを特徴とするものである。
又、請求項５による天井構築方法は、まず、複数の天井枠材によって天井枠構造部を構築し、次に、上記天井枠材に天井パネル支持用枠材を係合・保持させ、次に、上記天井パネル支持用枠材の上側に天井パネルの一端側を載せ、次に、上記天井パネルの他端側を押し上げながら別の天井パネル支持用枠材を上記天井枠材に係合・保持させて上記天井パネルの仮置状態とし、次に、上記天井パネル支持用枠材の下方位置において固定具を上記天井枠材に取り付けることにより天井パネル支持用枠材を押し上げて上記天井枠材の一部と天井パネル支持用枠材との間に天井パネルを強固に挟持させるようにしたことを特徴とするものである。
又、請求項６による天井構築方法は、請求項５記載の天井構築方法において、まず、上記天井パネルの相対する一対の端を固定し、次に、上記天井パネルの上記一対の端に対して直交する別の一対の端を固定するようにしたことを特徴とするものである。
又、請求項７による天井構築方法は、請求項５記載の天井構築方法において、まず、天井パネルの相対する一対の端を仮置きし、次に、上記天井パネルの上記一対の端に対して直交する別の一対の端を仮置きし、次に、天井パネルの四辺を固定するようにしたことを特徴とするものである。
【発明の効果】
【０００７】
以上述べたように本願発明の請求項１による天井構造は、天井枠構造部を構成する天井枠材と、上記天井枠材に着脱可能に係合・保持され天井パネルを下方から支持して上記天井枠材の一部との間に天井パネルを挟持する天井パネル支持用枠材と、上記天井パネル支持用枠材の下方位置の上記天井枠材に着脱可能に取り付けられ上記天井パネル支持用枠材を押し上げることにより上記天井枠材の一部と天井パネル支持用枠材との間に天井パネルを強固に挟持させる固定具と、を具備した構成になっているので、まず、天井構造の構成が簡略化されると共にその組立・分解作業が容易になったものである。すなわち、天井構造は、天井枠構造部と、天井パネル支持用枠材と、天井パネルと、固定具のみから構成されており、部品点数も少なくその構成は極めて簡単なものである。
又、その組立作業も簡単であり、特に、一連の組立作業を全て下方から行うことができる。つまり、天井枠構造部或いは天井パネルの上に作業員が乗って作業を行なうようなことは一切なく、全ての作業を天井パネルの下方から行なうことができるものである。
又、上記したように、天井枠構造部或いは天井パネルの上に作業員が乗って作業を行なうようなことは一切ないので、天井枠構造部或いは天井パネルに高い機械的強度が要求されるようなこともない。
又、固定具を設置・固定することにより天井パネル支持用枠材が上方に押し上げられるように構成されているので、天井パネルの保持は強固なものとなる。
又、上記天井パネル支持用枠材の上記天井パネル側には溝を設けて、該溝にシール部材を装着した場合には、気密、液密も確実に確保されるものである。
又、上記天井枠構造部は複数の天井枠材によって格子状に構成して、各格子部毎に天井パネルを着脱可能に取り付けるように構成した場合には、例えば、部分的に天井パネルを撤去したいような場合も好都合である。
又、請求項６、請求項７、請求項８による天井構築方法によると、上記構成をなす天井構造を容易に且つ迅速に構築することができる。
【発明を実施するための最良の形態】
【０００８】
以下、図１乃至図２０を参照して本発明の一実施の形態を説明する。図１は本実施の形態におけるアルミニウム製建屋の上端部の構成を示す斜視図である。
尚、図１では天井パネルの図示を省略してその内側の構造を示している。    
まず、複数本の脚柱１があり、これら複数本の脚柱１の上端には天井枠構造部３が設置されている。又、上記複数本の脚柱１の間には壁パネル２が取り付けられている。上記脚柱１及び壁パネル２は共にアルミニウム製である。
尚、アルミニウム製としたのは一例でありそれに限定されるものではない。
【０００９】
上記天井枠構造部３は４種類の天井枠材、すなわち、天井枠材５、天井枠材７、天井枠材９、天井枠材１１から構成されていて、これら４種類の天井枠材５、天井枠材７、天井枠材９、天井枠材１１を上記複数本の脚柱１の上端間に設置することにより天井枠構造部３を構成しているものである。
【００１０】
上記天井枠材５は、図７に示すような横断面形状をなしている。天井枠材５には後述するナットを挿入・配置するためのナット挿入・配置用溝１３が４箇所に形成されている。又、図７中右上に設けられたナット挿入・配置用溝１３の下側には、後述する天井パネルの上面を支持するための天井パネル上面支持部１５が設けられている。又、上記天井パネル上面支持部１５の下方には、後述する天井パネル支持用枠材が係合・保持される天井パネル支持用枠材係止部１６が設けられている。この天井枠材５はアルミニウム製であり、図７に示す横断面形状が紙面に直交する方向に延長された形状になっている。
【００１１】
上記天井枠材７は、図８に示すような横断面形状をなしている。天井枠材７には、既に説明した天井枠材５の場合と同様に、後述するナットを挿入・配置するためのナット挿入・配置用溝１７が４箇所に形成されている。又、図８中右上に設けられたナット挿入・配置用溝１７の下側には、後述する天井パネルの上面を支持するための天井パネル上面支持部１９が設けられている。又、上記天井パネル上面支持部１９の下方には、後述する天井パネル支持用枠材が係合・保持される天井パネル支持用枠材係止部２０が設けられている。この天井枠材７はアルミニウム製であり、図８に示す横断面形状が紙面に直交する方向に延長された形状になっている。
【００１２】
上記天井枠材９は、図９に示すような横断面形状をなしている。天井枠材９には、後述するナットを挿入・配置するためのナット挿入・配置用溝２１が６箇所に形成されている。又、図９中左右の上部に設けられたナット挿入・配置用溝２１、２１の下側には、後述する天井パネルの上面を支持するための天井パネル上面支持部２３、２３が設けられている。又、上記天井パネル上面支持部２３、２３の下方には、後述する天井パネル支持用枠材が係合・保持される天井パネル支持用枠材係止部２４、２４が設けられている。この天井枠材９はアルミニウム製であり、図９に示す横断面形状が紙面に直交する方向に延長された形状になっている。
【００１３】
上記天井枠材１１は、図１０に示すような横断面形状をなしている。天井枠材１１には、後述するナットを挿入・配置するためのナット挿入・配置用溝２５が４箇所に形成されている。又、図１０中左右の上部に設けられたナット挿入・配置用溝２５、２５の下側には、後述する天井パネルの上面を支持するための天井パネル上面支持部２７、２７が設けられている。又、上記天井パネル上面支持部２７、２７の下方には、後述する天井パネル支持用枠材が係合・保持される天井パネル支持用枠材係止部２８、２８が設けられている。この天井枠材１１はアルミニウム製であり、図１０に示す横断面形状が紙面に直交する方向に延長された形状になっている。
【００１４】
上記複数本の脚柱１と４種類の天井枠材５、天井枠材７、天井枠材９、天井枠材１１は次のような手順によって組み立てられる。図１及び図４に示すように、まず、脚柱１間に天井枠材５と天井枠材７を設置して、図示しない締結用タッピングネジによって締結・固定する。次に、対抗・配置される天井枠材５、天井枠材５側との間に天井枠材９を設置して、図示しない締結用ボルトによって締結・固定する。次に、天井枠材７側と天井枠材９側との間、天井枠材９相互間に天井枠材１１を設置して固定する。上記天井枠材１１と天井枠材７とを連結する場合にはコーナーブラケット３１を使用する。又、天井枠材９と天上枠材１１とを連結する場合には、接続金具３３を使用する。
【００１５】
上記コーナーブラケット３１は、図１に示すように、Ｌ字状をなしていて、天井枠材７側と天井枠材１１側の夫々において、ナット７３（図１４〜図２０に示す、図示している場所は異なるが同じナットである）にボルト３５、３５を螺合させることにより締結・固定される。又、上記接続金具３３は図１２に示すような構成になっている。まず、図１２（ａ）に示すようにＴ字状をなしていて、左右張出部３７、３７と、受け部３９とから構成されている。上記受け部３９を天井枠材９の天井パネル上面支持部２３の下方に差し込んでこれを受けるものである。その状態で上記左右張出部３７、３７においてボルト４１、４１を夫々ナット７３、７３に螺合させる。
【００１６】
次に、上記天井枠構造部３に着脱可能に取り付けられる天井パネル５１とその取付構造について説明する。この実施の形態の場合には、図１及び図４に示すように、天井枠構造部３は４種類の天井枠材５、天井枠材７、天井枠材９、天井枠材１１によって格子状に形成されていて、その各格子部毎に独立した天井パネル５１が着脱可能に取り付けられているものである。
【００１７】
すなわち、図２、図３、図５、図６に示すように、天井枠材５、天井枠材７、天井枠材９、天井枠材１１の各天井パネル上面支持部１５、１９、２３、２７と、別途設置される天井パネル支持用枠材５３とによって各天井パネル５１を上下方向から挟持する。そして、上記天井パネル支持用枠材５３を固定具６３によって押し上げることにより、上記各天井パネル上面支持部１５、１９、２３、２７と、天井パネル支持用枠材５３とによって天井パネル５１を上下方向から強固に挟持するものである。以下、詳細に説明していく。
【００１８】
例えば、図５に示す場合であるが、これは図４に示すように、天井枠構造部３の右下の２個の格子部の状態を示す断面図である。天井枠材９の天井パネル支持用枠材係止部２４、２４には天井パネル支持用枠材５３、５３が係合・保持されている。又、天井枠材７の天井パネル支持用枠材係止部２０には天井パネル支持用枠材５３が係合・保持されている。上記天井パネル支持用枠材５３の上には天井パネル５１が設置されている。又、上記天井パネル支持用枠材５３の下方位置には固定具６３が設置されている。それによって、上記天井パネル支持用枠材５３が上方に押し上げられ、天井パネル５１は天井パネル支持用枠材５３と天井パネル上面支持部１９、２３とによって強固に挟持されることになる。
【００１９】
上記天井パネル支持用枠材５３は図１１に示すような形状になっている。まず、係合部５５が設けられていて、この係合部５５が天井枠材５、天井枠材７、天井枠材９、天井枠材１１の天井パネル支持用枠材係止部１６、２０、２４、２８に係合することになる。又、上記係合部５５の横には溝５７が形成されていて、該溝５７内にはシール部材５９が内装されることになる。又、上記溝５７の下方にはテーパ部６１が形成されている。
【００２０】
一方、上記固定具６３は図１３に示すような構成になっている。図に示すように、固定具本体６４があり、この固定具本体６４の中央にはボルト６５が通る貫通孔６７が形成されている。又、上記貫通孔６７の左右にはストッパ部６９、６９が設けられている。又、テーパ部７１が設けられている。そして、上記固定具６３を設置して、ボルト６５をナット７３に螺合することにより、固定具６３のテーパ部７１と天井パネル支持用枠材５３のテーパ部６１との作用によって、天井パネル支持用枠材５３が上方に押し上げられる。それによって、天井パネル５１は天井パネル支持用枠材５３と天井パネル上面支持部１９、２３とによって強固に挟持されることになる。
【００２１】
次に、図６に示す場合であるが、これは図４に示すように、天井枠構造部３の右側中央部の１個の格子部の状態を示す断面図である。天井枠材１１の天井パネル支持用枠材係止部２８、２８には天井パネル支持用枠材５３、５３が係合・保持されている。上記天井パネル支持用枠材５３の上には天井パネル５１が設置されている。又、上記天井パネル支持用枠材５３の下方位置には固定具６３が設置されている。それによって、上記天井パネル支持用枠材５３が上方に押し上げられ、天井パネル５１は天井パネル支持用枠材５３と天井パネル上面支持部２７、２７とによって強固に挟持されることになる。
【００２２】
以上の構成を基にその作用を説明する。
尚、作用の説明に際しては、図１において中央下端部の１個の格子部を例に挙げて説明する。
まず、図１４に示すように、天井枠材５、９、１１のナット挿入・配置用溝１３、２１、２５内には必要なナット７３が挿入・配置されている。又、図１４では省略されているが、天井枠材9に対向・配置されている天井枠材７のナット挿入・配置用溝１７内にも必要なナット７３が挿入されている。
【００２３】
次に、図１５に示すように、天井枠材１１の天井パネル支持用枠材係止部２８に天井パネル支持用枠材５３を係合・保持させる。その際、天井パネル支持用枠材５３の溝５７内にはシール部材５９が装着されている。次に、図１６に示すように、天井パネル５１の一端を上記係合・保持させた天井パネル支持用枠材５３上に載せる。次に、図１７に示すように、上記天井パネル５１の他端を持ち上げると共にその下から別の天井パネル支持用枠材５３を押し当てて、該天井パネル支持用枠材５３を天井枠材５の天井パネル支持用枠材係止部１６に係合・保持させる。その際、天井パネル支持用枠材５３の溝５７内にはシール部材５９が装着されている。ここまでの作業によって、天井パネル５１は左右両側に設置された一対の天井パネル支持用枠材５３、５３上に仮置きされたことになる。
【００２４】
次に、図１８に示すように、天井パネル支持用枠材５３、５３の下に固定具６３を設置・固定する。すなわち、そこには予めナット７３が挿入・配置されているので、上記固定具６３を設置して、ボルトを螺合させることにより固定具６３を設置・固定するものである。 それによって、天井パネル支持用枠材５３、５３は上方に押し上げられる。すなわち、固定具６３のテーパ部７１と天井パネル支持用枠材５３のテーパ部６１との作用によって、天井パネル支持用枠材５３が上方に押し上げられるものである。その結果、天井パネル５１は天井枠材５の天井パネル上面支持部１５と天井パネル支持用枠材５３との間、天井枠材１１の天井パネル上面支持部２７と天井パネル支持用枠材５３との間に強固に挟持されることになる。
【００２５】
既に説明した工程までの作業によって、天井パネル５１の両端が固定されたことになり、次に、図１９に示すように、直交する別の両端の固定作業を行なう。まず、図１９に示すように、天井パネル支持用枠材５３を天井枠材９の天井パネル支持用枠材係止部２４に係合・保持させる。又、図１９では省略されているが、対向する側の天井枠材７の天井パネル支持用枠材係止部２０に天井パネル支持用枠材５３を係合・保持させる。その際、天井パネル支持用枠材５３の溝５７内にはシール部材５９が装着されている。
【００２６】
次に、図２０に示すように、天井パネル支持用枠材５３の下方に固定具６３を設置・固定する。それによって、天井パネル支持用枠材５３、５３は上方に押し上げられる。その結果、天井パネル５１は天井枠材９の天井パネル上面支持部２３と天井パネル支持用枠材５３との間、天井枠材７の天井パネル上面支持部１９と天井パネル支持用枠材５３との間に強固に保持されることになる。
【００２７】
以上の作業によって１個の格子部に一枚の天井パネル５１を取り付けることができたものである。そして、残りの格子部についても同様の作業を行なうことにより全ての格子部に対して天井パネル５１を取り付けるものである。
【００２８】
以上本実施の形態によると次のような効果を奏することができるものである。
まず、天井構造の構成が簡略化されると共にその組立・分解作業が容易になったものである。
具体的に説明すると、天井構造は、天井枠構造部３と、天井パネル支持用枠材５３と、天井パネル５１と、固定具６３のみから構成されており、部品点数も少なくその構成は極めて簡単なものである。
又、その組立作業も簡単であり、特に、一連の組立作業を全て下方から行うことができる。つまり、天井枠構造部３或いは天井パネル５１の上に作業員が乗って作業を行なうようなことは一切なく、全ての作業を天井パネル５１の下方から行なうことができるものである。
又、上記したように、天井枠構造部３或いは天井パネル５１の上に作業員が乗って作業を行なうようなことは一切ないので、天井枠構造部３或いは天井パネル５１に高い機械的強度が要求されるようなこともない。
又、固定具６３を設置・固定することにより天井パネル支持用枠材５３が上方に押し上げられるように構成されているので、天井パネル５１の保持は強固なものとなる。 
又、シール部材５９が設置されているので、気密、液密も確実に確保されるものである。
又、各格子部毎に天井パネル５１が設置されているので、例えば、部分的に天井パネル５１を撤去したいような場合も好都合である。
【００２９】
尚、本発明は前記一実施の形態に限定されるものではない。
まず、固定具の個数、大きさについてはこれを特に限定するものではない。例えば、一辺に複数個の固定具を設置・固定するような構成も考えられる。
又、格子部の大きさや個数についても任意に設定すればよい。
又、前記一実施の形態の場合には、天井パネルの一対の端を固定し、次いで、残りの一対の端を固定するようにしたが、それに限定されるものではない。例えば、天井パネルの一対の端を仮置きし、次いで、残りの一対の端を仮置きし、その後四辺を固定するようにしてもよい。その他、様々な手順が考えられる。
その他、図示した構成はあくまで一例である。
又、前記一実施の形態の場合には、全ての材料をアルミニウム製とした場合を例に挙げて説明したが、それに限定されるものではなく、様々な材質の使用が考えられる。
【産業上の利用可能性】
【００３０】
本発明は、例えば、アルミニウム製の枠部材やパネル材を使用して構築される天井構造と該天井構造を構築するための天井構築方法に係り、特に、全ての作業を建屋の内側であって天井の下側から行なうことができるように工夫したものに関し、例えば、工場内においてクリーンルーム等の任意の室を構築するような場合に好適である。
【図面の簡単な説明】
【００３１】
【図１】本発明の一実施の形態を示す図で、アルミニウム製の室構造物の天井部分を示す斜視図である。
【図２】本発明の一実施の形態を示す図で、図１のＩＩ−ＩＩ断面図である。
【図３】本発明の一実施の形態を示す図で、図１のＩＩＩ−ＩＩＩ断面図である。
【図４】本発明の一実施の形態を示す図で、アルミニウム製の室構造物の天井部分を示す平面図である。
【図５】本発明の一実施の形態を示す図で、図４のＶ−Ｖ断面図である。
【図６】本発明の一実施の形態を示す図で、図４のＶＩ−ＶＩ断面図である。
【図７】本発明の一実施の形態を示す図で、アルミニウム製枠材の断面図である。
【図８】本発明の一実施の形態を示す図で、アルミニウム製枠材の断面図である。
【図９】本発明の一実施の形態を示す図で、アルミニウム製枠材の断面図である。
【図１０】本発明の一実施の形態を示す図で、アルミニウム製枠材の断面図である。
【図１１】本発明の一実施の形態を示す図で、アルミニウム製枠材の断面図である。
【図１２】本発明の一実施の形態を示す図で、図１２（ａ）は枠材同士を連結するための金具の構成を示す正面図、図１２（ｂ）は図１２（ａ）のｂ−ｂ矢視図、図１２（ｃ）は枠材同士を連結するための金具の構成を示す背面図、図１２（ｄ）は図１２（ａ）のｄ−ｄ矢視図である。
【図１３】本発明の一実施の形態を示す図で、図１３（ａ）は天井パネルを固定するための固定具の構成を示す正面図、図１３（ｂ）は図１３（ａ）のｂ−ｂ矢視図、図１３（ｃ）は天井パネルを固定するための固定具の構成を示す背面図、図１３（ｄ）は図１３（ａ）のｄ−ｄ矢視図である。
【図１４】本発明の一実施の形態を示す図で、天井パネルの取付を工程順に示す斜視図である。
【図１５】本発明の一実施の形態を示す図で、天井パネルの取付を工程順に示す斜視図である。
【図１６】本発明の一実施の形態を示す図で、天井パネルの取付を工程順に示す斜視図である。
【図１７】本発明の一実施の形態を示す図で、天井パネルの取付を工程順に示す斜視図である。
【図１８】本発明の一実施の形態を示す図で、天井パネルの取付を工程順に示す斜視図である。
【図１９】本発明の一実施の形態を示す図で、天井パネルの取付を工程順に示す斜視図である。
【図２０】本発明の一実施の形態を示す図で、天井パネルの取付を工程順に示す斜視図である。
【符号の説明】
【００３２】
１  脚柱
３  天井枠構造部
５  天井枠材
７  天井枠材
９  天井枠材
１１  天井枠材
５１  天井パネル
５３  天井パネル支持用枠材
５９  シール部材
６３  固定具
【図１】
0004804065.tif 000002
【図２】
0004804065.tif 000003
【図３】
0004804065.tif 000004
【図４】
0004804065.tif 000005
【図５】
0004804065.tif 000006
【図６】
0004804065.tif 000007
【図７】
0004804065.tif 000008
【図８】
0004804065.tif 000009
【図９】
0004804065.tif 000010
【図１０】
0004804065.tif 000011
【図１１】
0004804065.tif 000012
【図１２】
0004804065.tif 000013
【図１３】
0004804065.tif 000014
【図１４】
0004804065.tif 000015
【図１５】
0004804065.tif 000016
【図１６】
0004804065.tif 000017
【図１７】
0004804065.tif 000018
【図１８】
0004804065.tif 000019
【図１９】
0004804065.tif 000020
【図２０】
0004804065.tif 000021